(57)【要約】【課題】寿命を大幅に向上させることにある。【解決手段】高分子電解質膜と、この高分子電解質膜を挟持するように配置された燃料極および酸化剤極と、前記燃料極に燃料ガスを供給する燃料供給溝を備えた燃料極側集電体と、前記酸化剤極に酸化剤ガスを供給する酸化剤供給溝を備えた酸化剤極側集電体とからなる単位セルを備えた固体高分子型燃料電池において、前記燃料極と前記高分子電解質膜の間及び前記酸化剤極と前記高分子電解質膜の間に補強シートが装着され、前記燃料極および酸化剤極が前記高分子電解質膜に接触する領域のエッジ部分が上記高分子電解質膜を挟んで重合しない形状に形成される。【選択図】　　　図６
2004087505.tif 000002
【特許請求の範囲】
【請求項１】
　高分子電解質膜と、この高分子電解質膜を挟持するように配置された燃料極および酸化剤極と、前記燃料極に燃料ガスを供給する燃料供給溝を備えた燃料極側集電体と、前記酸化剤極に酸化剤ガスを供給する酸化剤供給溝を備えた酸化剤極側集電体とからなる単位セルを備えた固体高分子型燃料電池において、
　前記燃料極と前記高分子電解質膜の間及び前記酸化剤極と前記高分子電解質膜の間に補強シートが装着され、前記燃料極および酸化剤極が前記高分子電解質膜に接触する領域のエッジ部分が上記高分子電解質膜を挟んで重合しない形状に形成されていることを特徴とする固体高分子型燃料電池。
【請求項２】
　前記燃料極および前記酸化剤極の前記高分子電解質膜に接触する領域に凸部がそれぞれ形成されており、これら凸部を取り囲むように前記凸部の高さとほぼ同じ厚みに形成された補強シートが装着されていることを特徴とする請求項１に記載の固体高分子型燃料電池。
【請求項３】
　前記燃料極および前記酸化剤極は、前記高分子電解質膜に接触する面積が異なっていることを特徴とする請求項１に記載の固体高分子型燃料電池。
【請求項４】
　前記補強シートの形状が額縁状であることを特徴とする請求項１に記載の固体高分子型燃料電池。
【発明の詳細な説明】
【技術分野】
【０００１】
　本発明は、水素イオン伝導性を有する高分子膜あるいは水素イオン伝導性を有する無機または有機材料粉末と結着剤としての高分子材料との複合材を電解質として用いる固体高分子型燃料電池に関する。
【背景技術】
【０００２】
　近年、高効率のエネルギ変換装置として、燃料電池が注目を集めている。燃料電池は、用いる電解質の種類により、たとえばアルカリ型，固体高分子型，リン酸型などの低温作動燃料電池と、溶融炭酸塩型，固体酸化物型などの高温作動燃料電池とに大別される。
【０００３】
　これらのうち、電解質としてイオン伝導性を有する高分子電解質膜を用いる固体高分子型燃料電池（ＰＥＦＣ）は、コンパクトな構造で高出力密度が得られ、しかも簡易なシステムで運転が可能なことから、宇宙用、離島用、定地用、車両用などの電源として注目されている。
【０００４】
　高分子電解質膜としては、スルホン酸基を持つポリスチレン系の陽イオン交換膜、フルオロカーボンスルホン酸とポリビニリデンフルオライドとの混合物質、フルオロカーボンマトリックスにトリフルオロエチレンをグラフト化して添加したもの等が知られている。最近ではパーフルオロカーボンスルホン酸膜（たとえば、ナフィオン：商品名、デュポン社製）等が用いられている。
【０００５】
　このような高分子電解質膜を電解質として用いる固体高分子型燃料電池は、通常、図１７に示すように形成された単位セル１を複数積層した積層体構造として構成されている。
【０００６】
　単位セル１は、高分子電解質膜１０と、白金等の触媒を担持した多孔質体で形成されて高分子電解質膜１０を相互で挾持するように配置された燃料極１１および酸化剤極１２と、燃料極１１の背面に接触配置された多孔質体製の燃料極側集電体１３と、酸化剤極１２の背面に接触配置された酸化剤極側集電体１４と、燃料極側集電体１３の燃料極１１に接触する面に形成されて燃料極１１に燃料ガスを分配供給する複数の燃料供給溝１５と、酸化剤極側集電体１４の酸化剤極１２に接触する面に形成されて酸化剤極１２に酸化剤ガスを分配供給する複数の酸化剤供給溝１６と、燃料極側集電体１３の背面側に設けられた冷却板１７と、この冷却板１７に設けられて冷却水を案内する冷却水案内溝１８と、この冷却水案内溝１８によって案内された水の一部が燃料極側集電体１３へ移行する量を制御する加湿水透過板１９とで構成されている。
【０００７】
　なお、図１７中、２０，２１は、高分子電解質膜１０，燃料極１１および酸化剤極１２からなる膜電極複合体の周囲を取り囲んで燃料ガスおよび酸化剤ガスの漏洩を防止するとともに燃料極側集電体１３と酸化剤極側集電体１４との間の絶縁を確保する額縁状スペーサを示している。また、冷却板１７を介在させない場合には燃料極側集電体１３と酸化剤極側集電体１４とが一体化されている場合もある。
【０００８】
　高分子電解質膜１０，燃料極１１および酸化剤極１２は、シート状に形成されており、内部抵抗低減のためにその厚みは１mm以下に形成されている。また、高分子電解質膜１０，燃料極１１および酸化剤極１２は、生産性を考慮して正方形に形成されている場合が多い。そして、その面積は発電に必要な電流値および単位面積当たりの電流値すなわち電流密度によって決まり、概ね１００cm2以上、すなわち一辺が１０cm以上に設定されているものが多い。
【０００９】
　燃料極側集電体１３および酸化剤極側集電体１４は、図１８に燃料極側集電体１３を代表して示すように、高分子電解質膜１０や各極１１，１２の形状に合せて正方形に形成されているものが多い。そして、中央部に各極１１，１２の形状に合せて正方形の領域を設定し、この正方形の領域に燃料ガス供給溝１５（酸化剤ガス供給溝１６）を複数平行に設けている。冷却板１７についても同様で、中央部に各極１１，１２の形状に合せて正方形の領域を設定し、この正方形の領域に冷却水案内溝１８を複数平行に設けている。
【００１０】
　燃料ガス供給溝１５の両端部は、それぞれ燃料ガス供給溝１５とほぼ同じ深さに形成された連絡通路２２，２３を介して積層要素の周縁部に積層方向に設けられた燃料ガス供給マニホールド２４および燃料ガス排出マニホールド２５に通じている。同様に、酸化剤ガス供給溝１６の両端部は酸化剤ガス供給マニホールド２６および酸化剤ガス排出マニホールド２７に通じており、冷却水案内溝１８の両端部は冷却水供給マニホールド２８および冷却水排出マニホールド２９に通じている。一方、加湿水透過板１９は、金属粉末または親水性のカーボン粉末を焼結して得た導電性の多孔質薄板で形成されている。
【００１１】
　このように構成された単位セル１の起電力は１Ｖ以下と小さいため、複数の単位セルを積層し、直列に接続して必要な起電力を得るようにしている。
【００１２】
　しかしながら、上記のように構成された従来の固体高分子型燃料電池にあっては次のような問題があった。
【００１３】
　すなわち、燃料極１１に水素を含む燃料ガスを供給するとともに酸化剤極１２に酸素を含む酸化剤ガスを供給しながら電池反応を行なわせると、この電池反応の副産物として酸化剤極１２側に水が発生する。この水は生成水と呼ばれている。この生成水が多量に存在していると、酸化剤ガスの供給の妨げになる。したがって、生成水を速やかに外部に排除する必要がある。生成水は酸化剤ガス供給溝１６に移行し易い。このため、一般には、酸化剤ガスを過剰に供給し、未反応の酸化剤ガスによって排出する方法が採られている。この方法では、過剰な酸化剤ガスの流量とともに酸化剤ガスの流速が重要なパラメータとなる。すなわち、流速が早いほど生成水を多く排出できる。
【００１４】
　しかし、従来の固体高分子型燃料電池では、正方形に形成された酸化剤極側集電体１４の中央部に正方形の領域を設定し、この正方形の領域に酸化剤ガス供給溝１６を複数平行に設けているので、酸化剤ガスの流速を上げることが困難で、電池の寿命を長くすることが困難であった。
【００１５】
　なお、酸化剤ガスの流速を上げるには、各酸化剤ガス供給溝１６の断面積、つまり溝の深さと幅を小さくすることで実現できるが、電極の面積が小さい場合には加工精度の点から実現が困難となる。
【００１６】
　また、従来の固体高分子型燃料電池にあっては、燃料極１１と酸化剤極１２とを同一寸法および同一面積に形成している。このため、燃料極１１の高分子電解質膜１０に接触する領域のエッジ部と酸化剤極１２の高分子電解質膜１０に接触する領域のエッジ部分とが高分子電解質膜１０を挟んで重なったものとなり、高分子電解質膜１０，燃料極１１および酸化剤極１２からなる膜電極複合体をプレス成形するときにエッジ部分に圧力が集中し、高分子電解質膜１０の上記エッジ部分に接触している部分が両方から押されて破損する虞があった。さらに、高分子電解質膜１０の上記両エッジ部分に挟まれている部分は、発電時ではセルの締め付けにより、常に機械的ストレスが掛かっている状態にあり、長時間運転を行うと高分子電解質膜１０の上記両エッジ部分に挟まれている部分が劣化し、破損する可能性もあった。
【００１７】
　また、従来の固体高分子型燃料電池にあっては、金属粉末またはカーボン粉末を焼結して得た加湿水透過板１９を用いている。このような焼結体では、焼結の条件によって多孔質構造に異なりが生じ易い。また、焼結時に均一な孔径や細孔容量のコントロールが困難である。このため、同じ加湿水透過板１９においても各部の孔径や細孔容量にばらつきが生じ、さらに加湿水透過板１９の一枚一枚について孔径や細孔容量にばらつきが生じる。このようなばらつきにより、高分子電解質膜１０に供給される加湿水が不均一になり、電池性能が不安定になる問題もあった。
【００１８】
　さらに、セルのコンパクト化のためには薄く、機械的強度のあるものが必要となるが、粉末を焼結する従来の製作法では、概略１mm程度の厚さが必要となる。また、金属またはカーボンの多孔質体であるため、薄くすると機械的強度がなくなってしまい、結局、従来の加湿水透過板では薄く、機械的強度のあるものを製作できず、コンパクトなセルを実現することはできない。
【発明の開示】
【発明が解決しようとする課題】
【００１９】
　上述の如く、従来の固体高分子型燃料電池にあっては、生成水の速やかな排出が困難で、しかも高分子電解質膜に大きな機械的ストレスが加わり易く、そのうえ高分子電解質膜に良好に給水できないなどの理由で、電池としての寿命が短いという問題があった。
【００２０】
　そこで本発明は、寿命を著しく向上させ得るとともにコンパクトな固体高分子型燃料電池を提供することを目的としている。
【課題を解決するための手段】
【００２１】
　上記目的を達成するために、次のような手段により固体高分子型燃料電池を構成する。
【００２２】
　請求項１に対応する発明は、高分子電解質膜と、この高分子電解質膜を挟持するように配置された燃料極および酸化剤極と、前記燃料極に燃料ガスを供給する燃料供給溝を備えた燃料極側集電体と、前記酸化剤極に酸化剤ガスを供給する酸化剤供給溝を備えた酸化剤極側集電体とからなる単位セルを備えた固体高分子型燃料電池において、前記燃料極と前記高分子電解質膜の間及び前記酸化剤極と前記高分子電解質膜の間に補強シートが装着され、前記燃料極および酸化剤極が前記高分子電解質膜に接触する領域のエッジ部分が上記高分子電解質膜を挟んで重合しない形状に形成されている。
【００２３】
　請求項２に対応する発明は、請求項１に対応する発明の固体高分子型燃料電池において、前記燃料極および前記酸化剤極の前記高分子電解質膜に接触する領域に凸部がそれぞれ形成されており、これら凸部を取り囲むように前記凸部の高さとほぼ同じ厚みに形成された補強シートが装着されている。
【００２４】
　請求項３に対応する発明は、請求項１に対応する発明の固体高分子型燃料電池において、前記燃料極および前記酸化剤極は、前記高分子電解質膜に接触する面積が異なっている。
【００２５】
　請求項４に対応する発明は、請求項１に対応する発明の固体高分子型燃料電池において、前記補強シートの形状が額縁状である。
【発明の効果】
【００２６】
　本発明によれば、寿命を大幅に向上させることができる。
【発明を実施するための最良の形態】
【００２７】
　　以下、図面を参照しながら本発明の実施形態を説明する。
【００２８】
　図１には本発明の一実施形態に係る固体高分子型燃料電池、ここには固体高分子型燃料電池４１を４個直列に接続して電気自動車用の電源を構成した例の斜視図が示されている。
【００２９】
　各固体高分子型燃料電池４１は、図２に示すように、単位セル４２を複数積層し、この積層体の両端部に導電板４３ａ，４３ｂ、絶縁板４４ａ，４４ｂ、端板４５ａ，４５ｂをそれぞれ当てがい、この状態で端板４５ａ，４５ｂの４隅位置間を絶縁ロッド４６を使って締付けて一体化したものとなっている。
【００３０】
　このように構成された各固体高分子型燃料電池４１は、積層方向と直交する断面が長方形に形成されている。そして、４個の固体高分子型燃料電池４１を、その断面における短辺と短辺とを隣接させ、単位セル４２が積層される方向に対して直交する方向に並設し、導電板４３ａ，４３ｂに突設されたボスバー４７をリード線４８で接続して隣接する積層体間を電気的に直列に接続している。このように固体高分子型燃料電池４１を配置することにより、電源を設置するスペースの全高を低くでき、自動車の床下などの高さの低いスペースに設置できるようにしている。
【００３１】
　各固体高分子型燃料電池４１には、従来の電池と同様に、発電に必要な燃料ガス、酸化剤ガス、冷却水を供給および排出するための、燃料ガス供給マニホールド４９ａ，燃料ガス排出マニホールド４９ｂ、給水マニホールド５０ａ，排水マニホールド５０ｂ、酸化剤ガス供給マニホールド５１ａ，酸化剤ガス排出マニホールド５１ｂが積層方向に形成されている。この例では隣接する固体高分子型燃料電池４１の対応するマニホールド同士を直列に接続している。勿論、並列に供給することもできる。
【００３２】
　図３には単位セル４２の分解斜視図が示されている。単位セル４２は、公知のものと同様の材質で形成された高分子電解質膜６０を備えている。この高分子電解質膜６０は厚さがたとえば０．１８mm程度のもので、両面には高分子電解質膜より小さい面積でマニホールドの形成されている側に短辺が位置するように長方形（たとえば短辺１０cm、長辺２０cm、電極面積２００cm2）に形成された燃料極６１と酸化剤極６２とが接触配置されている。燃料極６１および酸化剤極６２は、厚さがたとえば０．４mmのカーボン製多孔質体の表面に白金を含んだカーボン粒子を塗布したもので形成されている。
【００３３】
　燃料極６１には、図６および図７に示すように高分子電解質膜６０に接触する長方形の領域（面積）を規定する凸部６３が形成されている。同様に、酸化剤極６２にも図６および図７に示すように高分子電解質膜６０に接触する長方形の領域を規定する凸部６４が形成されている。凸部６４の面積は凸部６３の面積とは異なり、ここでは大に設定されている。すなわち、凸部６３のエッジ部Ａと凸部６４のエッジ部Ｂとが高分子電解質膜６０を挟んで積層方向に重ならない面積関係となっている。具体的には、エッジ部Ａよりエッジ部Ｂが２〜５mm外側に位置する面積関係となっている。そして、燃料極６１に形成された凸部６３を取り囲むように、凸部６３の高さとほぼ同じ厚みのフッ素樹脂系シートあるいは高分子電解質膜６０と同じ材質で凸部６３の高さとほぼ同じ厚みのシート形状に形成された額縁状補強シート６５が装着されている。同様に、酸化剤極６２に形成された凸部６４の周囲にも同様のシート形状に形成された額縁状補強シート６５が装着されている。また、燃料極６１および酸化剤極６２の外周部分には、これら外周部分とほぼ同じ厚みを有したフッ素ゴム等の絶縁性シートで額縁状に形成されたシール材６７，６８が配置されている。
【００３４】
　燃料極６１の背面側、つまり燃料極６１の図３および図６中下面側には、燃料極６１への燃料ガスの供給機能と集電機能とを発揮する燃料極側集電板６９が接触配置されている。この燃料極側集電板６９は、親水性のカーボン多孔質板で形成されている。燃料極側集電板６９における燃料極６１との接触面内には、図５および図６にも示すように、燃料極６１に燃料ガスを供給するための燃料供給溝７０が燃料極６１の面積より小さな長方形の領域Ｃに燃料極６１の長辺に沿う方向に延びる関係に複数形成されている。燃料供給溝７０は、たとえば幅１mm、深さ０．５mm、長さ２０cm、２mmピッチに５０本設けられている。同様に、酸化剤極６２の背面側、つまり酸化剤極６２の図３および図６中上面側には、酸化剤極６２への酸化剤ガスの供給機能と集電機能とを発揮する酸化剤極側集電板７１が接触配置されている。この酸化剤極側集電板７１は、緻密なカーボン板で形成されている。酸化剤極側集電板７１における酸化剤極６２との接触面内には、図４および図６に示すように、酸化剤ガスを酸化剤極６２に供給するための酸化剤供給溝７２が酸化剤極６２の面積より小さな長方形の領域Ｄに酸化剤極６２の長辺に沿う方向に延びる関係に複数形成されている。この酸化剤供給溝７２も、たとえば幅１mm、深さ０．５mm、長さ２０cm、２mmピッチに５０本設けられている。なお、図４は酸化剤極側集電板７１を図３における下側から見た図として示されている。
【００３５】
　燃料極側集電板６９の図３および図６中下面側には加湿水透過板７３が接触配置されており、この加湿水透過板７３の図３および図６中下面側には冷却板７４が接触配置されている。加湿水透過板７３は、導電性を有する非焼結板、たとえば図８に示すように、燃料ガス供給溝７０の配設領域と対向する領域に孔径１０μｍの細孔７５を数百個設けたステンレスの薄板７６の両面に、孔径１０μｍ、細孔容量７０％の多孔質フッ素樹脂系シートにカーボンを３０％混入させた薄板７７を配置して一体化した厚さ０．１６mmのもので形成されている。
【００３６】
　冷却板７４は緻密なカーボン板あるいは金属板で形成されている。冷却板７４の加湿水透過板７３側に位置する面には、冷却水を案内するための案内溝７８が燃料ガス供給溝７０の配設領域と対向する領域に燃料ガス供給溝７０と平行に複数形成されている。
【００３７】
　高分子電解質膜６０、額縁状補強シート６５，６６、シール材６７，６８、燃料極側集電板６９、酸化剤極側集電板７１、加湿水透過板７３、冷却板７４の両短辺部（長方形の領域Ｃ，Ｄの短辺側で、かつ上記長方形の領域外）には、燃料ガス供給マニホールド４９ａおよび燃料ガス排出マニホールド４９ｂを構成する孔８０，８１、給水マニホールド５０ａおよび排水マニホールド５０ｂを構成する孔８２，８３、酸化剤ガス供給マニホールド５１ａおよび酸化剤ガス排出マニホールド５１ｂを構成する孔８４，８５がそれぞれ積層方向に通じる関係に形成されている。
【００３８】
　そして、燃料極側集電板６９に設けられた燃料ガス供給溝７０は燃料ガスを供給／排出するための孔８０，８１に通じ、酸化剤極側集電板７１に設けられた酸化剤供給溝７２は酸化剤ガスを供給／排出するための孔８４，８５に通じ、冷却板７４に設けられた案内溝７８は冷却水を供給／排出するための孔８２，８３に通じている。
【００３９】
　このように、この例に係る固体高分子型燃料電池４１では、酸化剤極側集電体７１の酸化剤極６２に接触する面のほぼ長方形の領域Ｄに長方形の長辺に沿って酸化剤ガスを案内する複数の酸化剤供給溝７２を設けているので、各酸化剤供給溝の深さや幅を小さくすることなく、酸化剤ガスの流速を増加させることができ、この結果、酸化剤極６２で発生した生成水を良好に排除できる。
【００４０】
　すなわち、この例の場合には、酸化剤極６２として短辺１０cm、長辺２０cm、電極面積２００cm2のものを用いており、酸化剤供給溝７２は幅１mm、深さ０．５mm、長さ２０cm、２mmピッチで５０本設けている。今、電流密度を０．４Ａ／cm2とし、空気利用率を４０% とし、酸化剤ガス（空気）供給圧力を１atmとすると、各酸化剤供給溝７２を流れる酸化剤ガスの流速は、３００cm/secとなる。一方、同じ電極面積２００cm2で正方形の電極（一辺の長さ１４cm)を用い、同じ溝幅、溝深さ、配設ピッチの酸化剤供給溝を設け、同じ条件で酸化剤ガスを供給した場合、各酸化剤供給溝を流れる酸化剤ガスの流速は２１０cm/secとなる。このように、本例では同じ電極面積でありながら酸化剤ガスの流速を１．５倍に増加させることができる。したがって、生成水の排出を良好に行うことができる。この結果、生成水が酸化剤極６２内に滞留して酸化剤ガスの供給を妨げることがなくなり、長時間に亙って電池性能を維持させることができる。
【００４１】
　また、このように酸化剤極６２および燃料極６１を長方形に形成できることは、単位セル４２の平面形状も長方形に形成できることになり、燃料電池積層体の積層方向と直交する断面積も長方形に形成できることになる。すなわち、必要な電極面積を確保した状態で燃料電池積層体を偏平に近い形状に形成できることになるので、たとえば電気自動車等のように高さの低い設置空間しか持たない対象にも対応することが可能となる。
【００４２】
　また、上記例では、燃料極６１および酸化剤極６２の高分子電解質膜６０に接触する領域のエッジ部分Ａ，Ｂが高分子電解質膜６０を挟んで重合しないように燃料極６１および酸化剤極６２を形成している。したがって、高分子電解質膜６０には両エッジ部分Ａ，Ｂよって挟まれる部分が存在しないことになる。このため、膜電極複合体をプレス成形するときは勿論こと、発電時のセル締め付けに際しても上述したエッジ部分Ａ，Ｂの存在によって高分子電解質膜６０が破損するのを防止することが可能となる。
【００４３】
　図９には、この例に係る単位セルと従来例の単位セルとを用い、性能を比較するための発電試験を行った結果が示されている。従来例の単位セルでは約２０００時間でセル電圧が０．２Ｖまで低下したが、この例に係る単位セルでは４０００時間を越えてもセル電圧の低下はみられなかった。
【００４４】
　さらに、スクリーン印刷機により、電極の周辺部が額縁状補強シート６５，６６の厚みだけ薄くなるようなスクリーンパターンを用いて製作した燃料極および酸化剤極を用いて発電試験を行ったところ、図９に示す特性と同等の結果を得た。
【００４５】
　また、上記例では加湿水透過板７３を導電性の非焼結部材、導電材料を含む多孔質構造のフッ素系樹脂材料の薄板と細孔を備えた金属板で形成しているので、孔径や細孔容量のコントロールが極めて容易で、この結果、高分子電解質膜６０に加湿水を均一に供給することができる。
【００４６】
　すなわち、図１０には上記例に係る単位セルを５段積層した５セル積層電池の発電試験結果が示されており、図１１には従来例の単位セルを５段積層した５セル積層電池の発電試験結果が示されている。
【００４７】
　従来例の単位セルを用いた積層電池では、発電開始直後から各セル毎にセル電圧がばらつき、５０００時間後でもセル電圧はばらついたままであり、さらに平均０．１２Ｖ低下した。しかし、本例に係る単位セルを用いた積層電池では、発電開始直後からセル電圧が揃っており、５０００時間後でもセル電圧のばらつきや低下はみられなかった。さらに、加湿水透過板７３として、１００メッシュ、線径８５μｍのメツシユ構造のフッ素樹脂系シートとカーボンとを３０％複合したものと、中央の１０cm×１０cmの領域にエッチング加工で１０μｍの細孔を３００個設けたステンレスの薄板とを用いて上記の発電試験を行ったところ、双方とも同等の結果を得た。これらは、高分子電解質膜６０に加湿水を均一に供給することができたことによる。
【００４８】
　なお、本発明は上述した例に限定されるものではなく種々変形できる。
【００４９】
　すなわち、上記例では、燃料極６１の大きさと酸化剤極６２の大きさとを同じにしているが、図１２に示すように異ならせてもよい。
【００５０】
　また、図１３に示すように、高分子電解質膜６０の面積を燃料極６１または酸化剤極６２の大きさと同じにし、その外側にフッ素樹脂系シートなどで額縁状に形成されたシール材９１を配置してもよい。さらに、図１４に示すように、単に燃料極６１と酸化剤極６２の大きさだけを変えた構成でもよい。
【００５１】
　また、加湿水透過板の構成も上述した例に限られるものではなく、図１５に示すように、冷却板の冷却水案内溝の設けられている領域に対応する部分がメッシュ構造であるフッ素樹脂系シートとカーボンとを複合化した部材９２で形成され、その回りがフッ素樹脂系シートなどの部材９３で形成された加湿水透過板７３ａを用いてもよい。
【００５２】
　さらに、図１６に示すように、加湿水透過板７３ｂをステンレスの薄板９４で形成し、この薄板９４の冷却水案内溝上に位置する部分に孔径の異なる細孔９５を設けたものを用いてもよい。この例では冷却水案内溝長を３つに区分けし、上流に位置している１／３の領域には１５μｍ、中流に位置している１／３の領域には１０μｍ、下流に位置している１／３の領域には５μｍの細孔９５を設け、細孔の径を上流から下流に進むにしたがって小さくしている。このような構成の加湿水透過板７３ｂを用いると、生成水によって加湿量が過剰になりやすい下流部への加湿水供給量をコントロールすることができる。なお、金属板への細孔の形成はエッチング加工、レーザ加工、放電加工、ドリル加工等によって形成できる。また、加湿水透過板の厚みは０．５mm以下であることが好ましい。
【図面の簡単な説明】
【００５３】
【図１】本発明の一実施形態に係る固体高分子型燃料電池の実装形態の一例を示す斜視図。
【図２】同固体高分子型燃料電池の側面図。
【図３】同固体高分子型燃料電池に組み込まれた単位セルの分解斜視図。
【図４】同単位セルに組み込まれた酸化剤極側集電板の一表面を示す図。
【図５】同単位セルに組み込まれた燃料極側集電板の一表面を示す図。
【図６】同単位セルの縦断面図。
【図７】同単位セルの要部の分解断面図。
【図８】同単位セルに組み込まれた加湿水透過板の分解斜視図。
【図９】同単位セルの発電特性を従来例と比較して示す図。
【図１０】同固体高分子型燃料電池の発電特性を示す図。
【図１１】従来の固体高分子型燃料電池の発電特性を示す図。
【図１２】本発明の変形例を説明するための図。
【図１３】本発明の別の変形例を説明するための図。
【図１４】本発明のさらに別の変形例を説明するための図。
【図１５】本発明の異なる変形例を説明するための図。
【図１６】本発明のさらに異なる変形例を説明するための図。
【図１７】従来の固体高分子型燃料電池に組み込まれた単位セルの縦断面図。
【図１８】同単位セルに組み込まれた燃料極側集電板の一表面を示す図本発明の…示す図。
【符号の説明】
【００５４】
　４１…固体高分子型燃料電池、４２…単位セル、４９ａ…燃料ガス供給マニホールド、４９ｂ…燃料ガス排出マニホールド、５０ａ…給水マニホールド、５０ｂ…排水マニホールド、５１ａ…酸化剤ガス供給マニホールド、５１ｂ…酸化剤ガス排出マニホールド、６０…高分子電解質膜、６１…燃料極、６２…酸化剤極、６３，６４…凸部、６５，６６…額縁状補強シート、６７，６８…シール材、６９…燃料極側集電板、７０…燃料供給溝、７１…酸化剤極側集電板、７２…酸化剤供給溝、７３，７３ａ，７３ｂ…加湿水透過板、７４…冷却板、７８…案内溝、Ａ，Ｂ…エッジ部、Ｃ，Ｄ…長方形の領域
【図１】
2004087505.tif 000003
【図２】
2004087505.tif 000004
【図３】
2004087505.tif 000005
【図４】
2004087505.tif 000006
【図５】
2004087505.tif 000007
【図６】
2004087505.tif 000008
【図７】
2004087505.tif 000009
【図８】
2004087505.tif 000010
【図９】
2004087505.tif 000011
【図１０】
2004087505.tif 000012
【図１１】
2004087505.tif 000013
【図１２】
2004087505.tif 000014
【図１３】
2004087505.tif 000015
【図１４】
2004087505.tif 000016
【図１５】
2004087505.tif 000017
【図１６】
2004087505.tif 000018
【図１７】
2004087505.tif 000019
【図１８】
2004087505.tif 000020